(57)【特許請求の範囲】
【請求項１】
被掃除面と対向する下面に吸込口を開口する吸込室を有したケース体と、
このケース体の外周面および下面に亘って開口し前記吸込室に連通して設けられる吸塵口と、
前記ケース体に設けられ前記吸塵口の下側に位置し上端縁が前記吸塵口の下縁を構成し下面に被掃除面と対向する走行面が設けられた滑動部と、
前記ケース体に前記被掃除面と交差する面との当接により前記吸塵口の開口量を大きくするよう可動自在に設けられ、前記当接がない状態で下端縁が前記滑動部の前端縁との間に間隙を介して対向して前記吸塵口の一部を閉塞する開閉体と
を具備したことを特徴とした電気掃除機の吸込口体。
【請求項２】
掃除機本体と、
この掃除機本体に接続される請求項１記載の電気掃除機の吸込口体と
を具備したことを特徴とする電気掃除機。
【発明の詳細な説明】
【０００１】
【発明の属する技術分野】
本発明は、下面に吸込口を開口するとともに被掃除面に交差する面に当接することにより開口する吸塵口を有した電気掃除機の吸込口体およびこの電気掃除機の吸込口体を備えた電気掃除機に関する。
【０００２】
【従来の技術】
従来、この種の電気掃除機の吸込口体として、例えば実公昭６１−３７３９４号公報および特開平１−１８１８２６号公報などに記載の各種構成が知られている。
【０００３】
そして、実公昭６１−３７３９４号公報に記載のものは、被掃除面である床面と対向する下面に空気とともに塵埃を吸い込む吸込口を開口した吸込室を走行方向の前側に区画形成するケース体を備えている。このケース体の前側には、吸込口に亘って吸塵口が切欠形成されている。また、ケース体の少なくとも前面を含む周面に取り付けられるバンパには、吸塵口を覆い下端縁が自由端の舌片状のシールリップが一体的に設けられているとともに、このシールリップの前面にはバンパを含むケース体の最外周より先端が外方に突出する突起部が設けられ、家具や壁面に突起部が当接することによりシールリップが弾性変形して吸塵口を開口させ、家具や壁際の塵埃を吸塵口から吸塵する構成が採られている。
【０００４】
また、特開平１−１８１８２６号公報に記載のものは、被掃除面である床面と対向する下面に吸込口を開口した吸込室を走行方向の前側に区画形成するケース体を備えている。そして、ケース体の前側下面には、走行方向の前方および下方に向けて開口し吸込口に連通する凹部が設けられている。また、ケース体には、前面に位置して先端部が進退可能にスプリングなどの付勢手段により突出する突出部が配設されている。さらに、ケース体には、凹部の前側を覆って位置する舌片状のシールリップ部を備え、突出部が壁面や家具に当接することにより後退する突出部により回動して、シールリップ部にて覆う凹部の前側を開口する開閉体が配設され、この開閉体の回動により開口する凹部の前側から吸込口に吸塵する構成が採られている。
【０００５】
【発明が解決しようとする課題】
しかしながら、上記実公昭６１−３７３９４号公報および特開平１−１８１８２６号公報などに記載の従来の電気掃除機の吸込口体では、家具や壁面に当接した際に開口される開口部分の下端は開放するので、例えば毛足の長い絨毯などを掃除する際に、絨毯の毛が開口に入り込んで開口を閉塞し、十分に家具や壁際の塵埃を吸塵できないおそれがある。
【０００６】
そこで、公知ではないが例えばケース体の周面に吸込室に連通して開口し開閉体にて開閉される吸塵口を開口形成するとともに、この吸塵口の下方に下面が床面と対向する走行面を有した板状の滑動部を設けて吸塵口の開口下縁を構成させ、絨毯や畳が吸い込まれて上方に向けて撓むことを滑動部にて押さえ付け、吸塵口が閉塞されることを防止して効率よく家具や壁際の塵埃まで吸塵する構成が提案されている。
【０００７】
しかしながら、開口下縁が下面に走行面を有した板状の滑動部にて構成される吸塵口を開口する構成では、吸塵口が閉塞された状態で吸込口体を前進させた際に、滑動部の前端縁にて塵埃が押し出され、壁際まで吸込口体が移動しないで開閉体が吸塵口を閉塞したままの状態で後退すると、押し出された塵埃がそのまま床面上に残る状態となって吸塵できないおそれがある問題がある。
【０００８】
本発明は、上記問題点に鑑みなされたもので、簡単な構成で吸塵口の開口状態を確保するとともに吸い残しなく確実に吸塵できる電気掃除機およびその吸込口体を提供することを目的とする。
【０００９】
【課題を解決するための手段】
請求項１記載の電気掃除機の吸込口体は、被掃除面と対向する下面に吸込口を開口する吸込室を有したケース体と、このケース体の外周面および下面に亘って開口し前記吸込室に連通して設けられる吸塵口と、前記ケース体に設けられ前記吸塵口の下側に位置し上端縁が前記吸塵口の下縁を構成し下面に被掃除面と対向する走行面が設けられた滑動部と、前記ケース体に前記被掃除面と交差する面との当接により前記吸塵口の開口量を大きくするよう可動自在に設けられ、前記当接がない状態で下端縁が前記滑動部の前端縁との間に間隙を介して対向して前記吸塵口の一部を閉塞する開閉体とを具備したものである。
【００１０】
そして、下面に被掃除面と対向する走行面を有したケース体の滑動部の上端縁にて下縁が構成され外周面および下面に亘って開口する吸塵口を、開閉体が被掃除面と交差する面に当接することにより開口量を大きくし、当接しない状態で下端縁が滑動部の前端縁との間に間隙を介して対向して吸塵口の一部を閉塞することにより、例えば家具や壁際を掃除する際には滑動部により絨毯や畳が撓んで吸塵口を閉塞する状態を防止して開口が確保された吸塵口から吸込口では吸塵し難いケース体の前側に位置する家具や壁際の塵埃を確実に吸い込み、床面上を掃除する際には吸塵口の一部を開口させて、滑動部の前端縁にて押し出される塵埃をも確実に吸い込むので、吸塵口の一部を閉塞する開閉体を設けるという簡単な構成で、吸い残しなく効率よく吸塵して掃除効率が向上する。
【００１１】
請求項２記載の電気掃除機は、掃除機本体と、この掃除機本体に接続される請求項１記載の電気掃除機の吸込口体とを具備したものである。
【００１２】
そして、簡単な構成で吸い残しなく効率よく吸塵して掃除効率が向上する請求項１記載の電気掃除機の吸込口体を備えることにより、掃除性が向上する。
【００１３】
【発明の実施の形態】
以下、本発明の実施の一形態を示す電気掃除機の構成を図面を参照して説明する。
【００１４】
図２において、１は掃除機本体で、この掃除機本体１は、上面を開口した下部本体ケース2a、および、この下部本体ケース2aの後部上面を閉塞する上部本体ケース2bが、前面を含む周縁にバンパ３を挟持して接合されて前側上面を開口した本体ケース２を有している。そして、掃除機本体１は、本体ケース２の前側上面を開閉自在に閉塞する蓋体４を回動自在に軸支している。また、本体ケース２は、進行方向の前側下面に図示しない旋回自在の旋回輪が取り付けられ、本体ケース２の後側側面に大径の従動輪６が回転自在に設けられ、掃除機本体１は旋回輪と従動輪６とにて被掃除面である床面上を走行可能となっている。
【００１５】
そして、掃除機本体１内には、電動送風機７が収容される図示しない電動送風機室が後側に区画形成され、この電動送風機７の吸込側に連通しかつ上方が開放して蓋体４にて開閉され集塵フィルタを収容する図示しない集塵室が前側に区画形成されている。さらに、掃除機本体１の前側には、集塵室に臨んで開口しホース９が着脱可能に接続される接続口10が形成されている。
【００１６】
また、ホース９は、可撓なホース本体11と、このホース本体11の一端に設けられ掃除機本体１の接続口10に着脱可能に差し込み接続される接続管12と、ホース本体11の他端に設けられ延長管13を介して吸込口体14が接続される把持部15とを備えている。そして、把持部15には、電動送風機７などの駆動状態を設定操作する各種スイッチ16，16を有した操作手段17が配設されている。
【００１７】
一方、吸込口体14は、図３ないし図６に示すように、前後方向である走行方向に対して横長矩形状で、アクリロニトリル−ブタジエン−スチレン（ＡＢＳ）樹脂などの合成樹脂製の上面を開口した下部ケース21と、この下部ケース21の上部に上面の開口を覆い同材質の下面を開口する上部ケース22とが、下部ケース21および上部ケース22の前面を含む周面に沿って軟質部材の緩衝体23を挟持して結合固定されて、後部略中央が後方に向けて突出する凸字状のケース体24を備えている。
【００１８】
そして、下部ケース21は上面に略垂直にリブ下部25aを有し、上部ケース22は下面に略垂直に下端縁がリブ下部25aに接合する図示しないリブ上部を有し、ケース体24はリブ下部25aおよびリブ上部により横長矩形状の吸込部26とこの吸込部26の後部略中央に後方に一対突出するハウジング部27，27とにて凸字状に形成されている。また、吸込部26内には、リブ下部25aおよびリブ上部により、前側に横長に位置し下部ケース21の下面に吸込口30が開口形成された吸込室31と、この吸込室31の一端側に位置して区画形成された駆動伝達室32と、吸込室31の一端側後部に位置して区画形成された電動機室33と、吸込室31の他端側後部に位置して区画形成された回路室34とを区画形成している。さらに、リブ下部25aおよびリブ上部の略中央には、それぞれ対向して凹状に形成された切欠保持凹部35a，35bがそれぞれ設けられている。
【００１９】
さらに、下部ケース21は、吸込部26の下面を構成する吸込下部21aと、この吸込下部21aの後部に一体的に設けられハウジング部27，27とにて凸字状に形成されている。そして、吸込下部21aの前部には、複数例えば２カ所、ケース体の長手方向に長手状すなわち横長状で外周面である前面から下面の２面に亘って開口する吸塵口37，37が形成されている。そして、これら吸塵口37，37の下部後方には、図１に示すように、吸込下部21aの底面から一面上に連続する板状で下面に被掃除面である床面と略平行に対向する走行面38を有し前側上端縁で吸塵口37の下縁を構成する滑動部39が設けられている。さらに、吸込下部21aの前部には、滑動部39，39間に位置して先端縁が吸込下部21aの側部と同様に上方に向けて湾曲して突出し外面側に反り面40を有した案内部41が設けられている。なお、滑動部39の先端下縁には、走行方向への抵抗を軽減するための円弧状に形成された面取り42が設けられている。
【００２０】
また、吸込下部21aの前部には、上端縁が略半円状に切り欠かれた軸支凹部43を有する支持リブ44が複数設けられている。そして、これら支持リブ44の軸支凹部43には、吸塵口37の開口量を可変する開閉体45が設けられている。この開閉体45は、軸方向がケース体24の長手方向に略沿う状態で支持リブ44の軸支凹部43に回転可能に軸支される回転シャフト46を備えている。また、回転シャフト46には、吸塵口37を開閉する開閉板47が一体的に設けられている。この開閉板47は、上端縁に回転シャフト46を嵌合する略円筒状の軸支部48が設けられ下端縁が後方である吸込室31に向けて湾曲した略板状に形成されている。また、開閉板47の下端縁が湾曲する側と反対側の前面には、前方に向けて略垂直に突出する板状の突起部49が突設されている。そして、開閉体45は、回転シャフト46に軸支された図示しないトーションコイルばねなどの閉塞保持手段50により、常時図１に示すように開閉板47が湾曲する下端縁を吸塵口37の滑動部39の前端縁にリーク間隙を介して対向して吸塵口37の一部を開口する状態で閉塞するように付勢され、突起部49がケース体24の最外周に位置する緩衝体23より前方に突出する状態で回動可能に保持されている。
【００２１】
一方、下部ケース21の吸込下部21aの前部両端側には、図示しない従動前輪が回転自在に軸支された従動前輪室51が形成されている。また、下部ケース21の一対のハウジング部27，27間には、従動後輪52を有した車輪軸53の両端部が架橋するように回転自在に軸支されている。
【００２２】
また、ケース体24には、ハウジング部27，27間に位置して下部ケース21および上部ケース22に挟持固定され吸込室31の後部略中央に連通する風路室54を区画する連結管部55が設けられている。この連結管部55は、円筒状で軸方向の一端側が吸込室31に向けてラッパ状に次第に径大となる吸込管部56を有した軸支管部57を有している。また、連結管部55は、吸込管部56の外周縁に外方に向けて鍔状に突出し周縁がそれぞれ下部ケース21および上部ケース22のリブ下部25aおよびリブ上部の各切欠保持凹部35a，35bに係合する取付板部58を備えている。そして、連結管部55は、軸支管部57の一端側の吸込管部56が吸込室31に向けてラッパ状に拡開し他端側がケース体24から後方に向けて略円筒状に突出し、軸支管部57の軸方向が前後方向かつ水平方向に沿ってケース体24に配設される。
【００２３】
さらに、連結管部55の軸支管部57には、回転自在に嵌着する回動管としての継手部61が取り付けられている。また、この継手部61には、一端部に設けられた回転軸62が延長管13やホース９に接続される他端側を上下方向に回動自在に継手部61に軸支された連通管としての連通管部63が取り付けられ、継手部61および連通管部63にて接続管64が構成されている。
【００２４】
また、ケース体24内には、吸込室31の左右方向の両端部のリブ下部25aおよびリブ上部の接合する位置にそれぞれ設けられた軸受66，66により回転自在に軸支された回転体としての回転清掃体67が配設されている。この回転清掃体67は、外周面に螺旋状に壁状のブレード68aやブラシ68bが設けられたシャフト69を備えている。そして、シャフト69の両端部には、回転自在に設けられ軸受66に係脱可能に装着される軸支部材71が回転自在に設けられているとともに、一端側にはプーリ72が一体的に設けられている。
【００２５】
さらに、ケース体24の電動機室33内には、出力プーリ75を設けた図示しない出力軸が駆動伝達室32に位置する状態で電動機76が配設されている。そして、出力プーリ75には回転清掃体67のプーリ72とにて無端ベルト状の駆動伝達部材78が掛け渡され、電動機76の駆動により回転清掃体67が回転する。
【００２６】
また、ケース体24の回路室34内には、床面検出手段80が配設されている。この床面検出手段80は、先端に床面に接地して回転する回転体81を軸支した腕部82の基端を回転体81がケース体24の下面に対して上下動するように軸支している。そして、ケース体24が床面から離間することにより回転体81が最下位に位置する状態に腕部82が回動することにより、ケース体24が持ち上げられたことを検出するスイッチ手段83が設けられている。また、腕部82には、略Ｕ字状に屈曲する保持腕部84が一体的に設けられているとともに、保持腕部84の上方には、上下方向に移動可能に図示しない球体が配設されている。そして、ケース体24の下面を上方に向けて反転させた状態では、球体が上部ケース22側に移動して保持腕部84の先端が球体に当接し、腕部82に設けた回転体81が自重によりケース体24内に移動することなくケース体24が持ち上げられた状態の最下位に位置する状態と同様の最下位に位置する状態で保持され、床面から持ち上げられていることをスイッチ手段83にて検出する。
【００２７】
次に、上記実施の形態の動作について説明する。
【００２８】
掃除するに際して、掃除機本体１に延長管13およびホース９を介して吸込口体14を接続する。この状態で、ホース９の把持部15を持って操作手段17のスイッチ16の操作により、適宜電動送風機７および電動機76を所望の駆動状態で駆動し、把持部15を押動して吸込口体14を床面上で前後に走行させる。
【００２９】
そして、電動送風機７の駆動により、適宜電動機76の駆動により回転する回転清掃体67にて掻き出された床面の塵埃を吸込口30から空気とともに吸い込み、延長管13およびホース９を介して掃除機本体１の集塵室内に装着した集塵袋に流入して捕捉する。さらに、塵埃を集塵袋にて分離除去した空気は、電動送風機７から電動送風機室内に流入し、本体ケース２に設けられた図示しない排気口を介して外気に排気される。
【００３０】
なお、この床面上を走行させて掃除する状態では、閉塞保持手段50の付勢により開閉体45の開閉板47が下端縁を滑動部39の前端縁にリーク間隙を介して吸塵口37の床面に対向する面の滑動部39の前側の一部が開口する状態で吸塵口37のほぼ全面が閉塞される状態となっている。このため、床面と対向する面で一部開口する吸塵口37から若干空気が吸い込まれる程度でケース体24の下面における大気圧に対する負圧状態が確保され、効率よく吸込口30および下方に向けて一部開口する吸塵口37から塵埃が空気とともに吸い込まれる。さらに、吸込口体の前進時に滑動部39の前端縁により床面上の塵埃が押し出される状態となっても、滑動部39の前端部分では吸塵口37の一部が開口する状態であることから、押し出された塵埃は、吸塵口37から確実に吸い込まれ、吸い残しなく掃除できる。なお、このケース体24の下面での大気圧に対する負圧状態の確保により、例えば絨毯や畳の畳表が滑動部39にて押さえ付けられて、吸い上げられて上方に湾曲する状態を防止し、吸塵口37や吸込口30が閉塞されることを防止して開口が確保される。
【００３１】
そして、掃除する床面が絨毯などの毛足が長い場合、吸込口体14を前進させる際に、吸込口体14の前側下縁に位置する反り面40および滑動部39の面取り42により絨毯の毛が案内される状態となり、絨毯の毛が吸込口体14の前側下縁部分に引っ掛かるなどを防止して吸込口体14が円滑に走行する。
【００３２】
また、家具が載置された周縁、壁際などの床面に対して交差して立ち上がる面を有する部分の近傍を掃除する際、吸込口体14の前面が家具や壁面に当接すると、吸込口体14の最前に位置する開閉体45の突起部49の先端が先ず当接する。そして、閉塞保持手段50の付勢に抗して開閉板47が上端縁に軸支する回転シャフト46を回転軸として回動し、吸塵口37の全面を開口する。
【００３３】
ここで、床面が毛足の長い絨毯などの場合、吸塵口37の下縁は滑動部39にて構成され、絨毯の毛が滑動部39により押さえ付けられる状態となって吸塵口37にほとんど入り込まず、吸塵口37の開口状態が確保される。そして、家具や壁面により床面から吸塵口37まで風路が構成される状態となって、家具や壁の際の塵埃を吸塵口37から吸い込み、吸込口30から吸い込んだ空気と吸込室31で合流して延長管13およびホース９を介して掃除機本体１の集塵室内に装着した集塵袋に流入して捕捉する。
【００３４】
なお、吸込口体14が家具や壁面から離間すると、再び閉塞保持手段50の付勢により図１に示すように開閉板47が吸塵口37を床面に対向する一部が開口する状態で閉塞し、吸込口体14の下面の大気圧に対する負圧状態が保持される状態となる。
【００３５】
そして、ホース９を床面上においた場合、あるいは吸込口30に閉塞した塵埃の除去、回転清掃体67に絡み付いた糸ゴミなどの除去のために、吸込口体14の下面が床面から離間すると、床面検出手段80の回転体81が床面から離間して回転体81が最下位に位置する状態に腕部82が回動し、スイッチ手段83がオン状態となって、掃除機本体１に設けられた図示しない回路基板に搭載する制御手段にて吸込口体14の下面が床面から離間する状態になったと判断して、電動機76の駆動を停止させて回転清掃体67の回転を停止させる。
【００３６】
上述したように、上記実施の形態では、吸込口30とは別に吸込口体14の前面および下面の２面に亘って開口し、下面に被掃除面である床面と対向する走行面38を有した滑動部39の前側上端縁にて下縁が構成される吸塵口37を設け、この吸塵口37を開閉体45にて壁や家具などの床面と交差する面に当接することにより開口量が増大し、通常時は滑動部39の前端縁に吸塵口37の一部を開口するリーク間隙を介して下端縁が対向する状態で開閉体45にて閉塞させる。このため、例えば家具や壁際を掃除する際には滑動部39により絨毯や畳が撓んで吸塵口37を閉塞したり絨毯の毛が入り込んで閉塞する状態を防止し、開口が確保された吸塵口37から吸込口30では吸塵し難いケース体24の前側に位置する家具や壁際の塵埃を確実に吸い込む。また、床面上を走行して掃除する際には吸塵口37の滑動部39の前端縁側の一部を開口させて、吸込室31内の大気圧に対する負圧状態を確保して効率よく吸込口30および床面に対向する一部開口する吸塵口37から床面の塵埃を吸い込むとともに滑動部39の前端縁にて押し出される塵埃をも確実に吸い込む。したがって、滑動部39の前端縁の一部を開口する状態で吸塵口37を開閉可能に閉塞する簡単な構成で、吸い残しなくかつ効率よく吸塵でき、掃除効率を向上できる。
【００３７】
そして、開閉体45を家具や壁などの被掃除面である床面と交差する面に当接することにより前面および下面に亘る吸塵口37を開口させる構成としたため、下面部分の吸塵口37の一部に絨毯の毛が入り込んでも、床面と交差する面により床面から吸塵口37の開口する前面まで風路が構成されて、吸込口30からでは吸塵し難い吸塵口37が開口するケース体24の前側の塵埃も効率よく確実に吸塵でき、掃除性を向上できる。
【００３８】
また、開閉体45に先端がケース体24の外周より外方に突出する突起部49を設けたため、簡単な構成で家具や壁面などの床面に交差する面に当接した際に吸塵口37が開口する構成が容易に得られ、吸込口30からでは吸塵し難い吸塵口37が開口するケース体24の前側に位置する塵埃も効率よく確実に吸塵でき、掃除性を向上できる。
【００３９】
さらに、吸塵口37を横長矩形状に形成したケース体24の前面に長手方向に横長状に設けたため、簡単な構造で前側における吸塵口37からの吸塵領域が増大し、吸込口30からでは吸塵し難い吸塵口37が開口するケース体24の前側のほぼ全域に位置する塵埃も効率よく確実に吸塵でき、掃除性を向上できる。
【００４０】
また、開閉体45に吸塵口37を常時閉塞して家具や壁面などに当接した場合のみ吸塵口37の前面側を開口させる閉塞保持手段50を設けたため、通常の床面上を走行させて吸込口30から吸塵して掃除する状態では、吸塵口37を吸込口30が開口する下面の一部のみ開口する状態で閉塞するので、吸込口30が開口するケース体24の下面の大気圧に対する負圧状態を確保でき、吸込室31内に吸塵する吸塵効率が向上して、掃除性を向上できる。
【００４１】
そして、吸塵口37を複数、例えば２個開口形成して吸塵口37，37間にケース体24の下面から周縁に湾曲して連続する反り面40を設けたため、毛足の長い絨毯などの凹凸を有した被掃除面である床面を掃除する場合でも、絨毯の毛を反り面40で案内して押さえ付け反り面40が絨毯の毛を乗り上げるようにして走行するので、絨毯の毛が滑動部39の先端部に引っ掛かるなどを抑制でき、ケース体24の走行性が向上して掃除作業性を向上できる。
【００４２】
さらに、滑動部39の先端下縁に面取り42を設けたため、反り面40と同様に絨毯の毛を案内して引っ掛かりにくくなり、ケース体24の走行性が向上して掃除作業性を向上できる。
【００４３】
また、吸塵口37を下部ケース21に設けて緩衝体23の下方に位置する状態としたため、家具や壁面に開閉体45の突起部49が当接して開閉板47が回動して吸塵口37が開口する状態では、緩衝体23がケース体24の最前に位置するので、緩衝体23が家具や壁面に当接して吸塵口37の上方が家具や壁面に当接する緩衝体23により覆われた状態となって、家具や壁面にて床面から吸塵口37まで構成される風路の大気圧に対する負圧状態が確保され、吸塵口37からの吸塵効率が向上して確実に吸塵でき、掃除性を向上できる。
【００４４】
さらに、吸塵口37の下縁を構成する滑動部39を板状に形成したため、吸塵口37から床面までの距離を最少にでき、吸塵口37から効率よく吸塵できるとともに、吸込口体14の上下方向の寸法を短くでき、小型化できる。そしてさらに、滑動部39の前端縁と対向する開閉体45の下端縁との対向方向が前後方向となることから、吸込口体14の上下方向の寸法を短くでき、小型化できる。
【００４５】
なお、上記実施の形態において、キャニスタ型の電気掃除機に限らず、吸込口体14が掃除機本体１の下面に直接形成されたアップライト型や掃除機本体１と吸込口体14とが一体化された自走式の電気掃除機、ハンディ型などにも適用することができる。
【００４６】
そして、吸塵口37を家具や壁面などの床面に対して交差する面に当接することにより開口させて説明したが、例えばホース９の手許に設けた操作手段17の設定操作により、適宜吸塵口37を開口させて吸塵するなどしてもよい。
【００４７】
また、家具や壁面に当接した際に吸塵口37を開口させる構成としては、上記突起部49を一体的に設ける構成に限らず、例えばセンサなどにより当接したことを認識することにより別途設けたソレノイドや電動機などにて回動させて電気的に開口させたり、先端部が進退可能に設けた棒状体を設け、この棒状体の後退によりこの棒状体に連結した開閉板47や回動シャフト46を回動させて機械的に開口させるなど、いずれの構成とすることができる。
【００４８】
また、吸塵口37をケース体24の前面に開口形成したが、側面に開口形成してもよい。
【００４９】
さらに、吸塵口37を複数、例えば２個開口形成したが、１つのみあるいは３個以上設けてもよい。
【００５０】
また、横長状に開口形成したが、例えば円形状に開口したものを複数並列状に設けたり格子状に設けるなどしてもよい。
【００５１】
そして、トーションコイルバネなどの閉塞保持手段50にて常時吸塵口37の一部を開口する状態で閉塞したが、上述したように、任意に開口させるようにしたり、トーションコイルバネに限らず、板ばねやスプリング、ゴムなどの弾性部材を用いたり、上述したように、ソレノイドや電動機にて適宜開閉させるようにしてもよい。
【００５２】
また、滑動部39は、板状に限らず、滑動部39の先端部からケース体24の下面に反り面40を設けるなどしてもよい。なお、滑動部39の先端部から反り面40を設けることにより、より走行性を向上できる。
【００５３】
そして、回転清掃体67および電動機76を設けて説明したが、これらを設けなくてもよい。また、回転清掃体67の代わりに吸込口体14を走行させるあるいは走行を補助する走行輪を電動機76にて回転させたり、電動機76の代わりに吸気流により回転清掃体67を回転させるなどしてもよい。
【００５４】
さらに、開閉体45として開閉板47を回動させて吸塵口37の開口量を可変したが、例えばシャッタのように摺動させるなど、いずれの構成で開口量を可変させてもよい。
【００５５】
【発明の効果】
請求項１記載の電気掃除機の吸込口体によれば、下面に走行面を有した滑動部の上端縁にて下縁が構成され外周面および下面に亘って開口する吸塵口を、開閉体により被掃除面と交差する面に当接すると開口量が増大し当接しない状態で下端縁が滑動部の前端縁に一部を開口する間隙を介して対向する状態で閉塞するため、例えば家具や壁際を掃除する際には滑動部により絨毯や畳が撓んで吸塵口を閉塞する状態を防止して開口が確保された吸塵口から吸込口では吸塵し難いケース体の前側に位置する家具や壁際の塵埃を確実に吸い込み、床面上を掃除する際には吸塵口の一部を開口させて滑動部の前端縁にて押し出される塵埃をも確実に吸い込むので、吸塵口を開閉可能に閉塞する簡単な構成で、吸い残しなく効率よく吸塵でき掃除効率を向上できる。
【００５６】
請求項２記載の電気掃除機によれば、簡単な構成で吸い残しなく効率よく吸塵して掃除効率が向上する請求項１記載の電気掃除機の吸込口体を備えるため、掃除性を向上できる。
【図面の簡単な説明】
【図１】本発明の実施の一形態を示す閉塞した吸塵口近傍の吸込口体の断面図である。
【図２】同上電気掃除機を示す斜視図である。
【図３】同上吸込口体の上部ケースを取り外した平面図である。
【図４】同上吸込口体の底面図である。
【図５】同上吸込口体の中央側面断面図である。
【図６】同上吸込口体の吸塵口での側面断面図である。
【符号の説明】
１    掃除機本体
14    吸込口体
24    ケース体
30    吸込口
31    吸込室
37    吸塵口
38    走行面
39    滑動部
45    開閉体
【図１】
0003731725.tif 000002
【図２】
0003731725.tif 000003
【図３】
0003731725.tif 000004
【図４】
0003731725.tif 000005
【図５】
0003731725.tif 000006
【図６】
0003731725.tif 000007